(57)【特許請求の範囲】
【請求項１】
複数のアンテナと、アンテナ信号を入力するためのメイン入力端子／サブ入力端子を有したアンテナ接続対象機器とを備え、ダイバーシティ方式が採用された受信システムに用いるアンテナ切換装置であって、
これら複数のアンテナからのアンテナ信号のうちのいずれかを選択して入力するための第１の入力選択手段と、
該第１の入力選択手段により選択されたアンテナ信号を、前記アンテナ接続対象機器のメイン入力端子／サブ入力端子のうちのいずれかへ出力するための第１の出力手段と、
前記アンテナ接続対象機器からの指示に基づいて、前記第１の入力選択手段を制御することによって、該第１の入力選択手段により選択されるアンテナ信号を切り換える第１の入力制御手段と、
前記アンテナ接続対象機器からの指示に基づいて、前記第１の出力手段を制御することによって、前記第１の入力選択手段により選択されたアンテナ信号をメイン入力端子／サブ入力端子の一方の入力端子へ出力させる第１の出力制御手段と、
これら複数のアンテナからのアンテナ信号のうちのいずれかを選択して入力するための第２の入力選択手段と、
該第２の入力選択手段により選択されたアンテナ信号を、前記アンテナ接続対象機器のメイン入力端子／サブ入力端子のうちのいずれかへ出力するための第２の出力手段と、
前記アンテナ接続対象機器からの指示に基づいて、前記第２の入力選択手段を制御することによって、該第２の入力選択手段により選択されるアンテナ信号を切り換える第２の入力制御手段と、
前記アンテナ接続対象機器からの指示に基づいて、前記第２の出力手段を制御することによって、前記第２の入力選択手段により選択されたアンテナ信号をメイン入力端子／サブ入力端子の他方の入力端子へ出力させる第２の出力制御手段とを備えると共に、
前記第１の入力選択手段により選択されるアンテナ信号と、前記第２の入力選択手段により選択されるアンテナ信号とが排他的となるように構成され、
さらには、前記第１の出力手段から出力されるアンテナ信号の出力先と、前記第２の出力手段から出力されるアンテナ信号の出力先とが排他的となるように構成されていることを特徴とするアンテナ切換装置。
【請求項２】
前記第１の入力選択手段と、前記第２の入力選択手段とのうち、
前記アンテナ接続対象機器のメイン入力端子と接続されている入力選択手段については、アンテナの切り換えが行われず、
他方、前記アンテナ接続対象機器のサブ入力端子と接続されている入力選択手段については、アンテナの切り換えが行われるように構成されていることを特徴とする請求項１記載のアンテナ切換装置。
【請求項３】
前記第１の出力手段が、前記第１の入力選択手段により選択されたアンテナ信号を、前記アンテナ接続対象機器、及び該アンテナ接続対象機器とは別の１以上のアンテナ接続対象機器のうちのいずれかへ出力するものであり、
前記アンテナ信号を出力すべきアンテナ接続対象機器を決定する機器決定手段と、
該機器決定手段による決定に基づいて、前記第１の出力手段を制御することによって、前記機器決定手段により決定されたアンテナ接続対象機器へ、前記アンテナ信号を出力させる第３の出力制御手段とを備えていることを特徴とする請求項１又は請求項２記載のアンテナ切換装置。
【請求項４】
これら複数のアンテナとアンテナ接続対象機器とを繋ぐアンテナ信号線には、アンテナ信号が通過可能な通過手段が設けられると共に、
該通過手段とアンテナ接続対象機器との間に、前記アンテナ信号の通過を阻止する一方、前記アンテナ接続対象機器から送信されてくる信号を通過させる阻止手段が直列接続されていることを特徴とする請求項１〜３のいずれかの項に記載のアンテナ切換装置。
【発明の詳細な説明】
【０００１】
【発明の属する技術分野】
本発明はアンテナ切換装置に関し、より詳細には、複数のアンテナと、アンテナ接続対象機器とを備え、ダイバーシティ方式が採用された受信システムに用いるアンテナ切換装置に関する。
【０００２】
【従来の技術】
従来から車両にはＦＭラジオ受信機が搭載されており、ＦＭラジオ放送を聴取しながらのドライブを楽しむことができるようになっている。
ところで、移動中の車両内でＦＭラジオ放送を受信しようとするときには、フェージング（媒質の時間的変化のために電界が低下する現象）によって良質な通信が妨げられることがある。
【０００３】
このフェージングによる通信の低下を抑えるために、通常、方向や場所を変えて車両に複数のアンテナを設置し、あるアンテナで受信中に、受信レベルが一定レベル以下になる（又は、マルチパス等により受信状況が悪化する）と、別のアンテナに切り換えて受信するといった、又は受信状態が良好な方のアンテナを選択して受信するといったダイバーシティ方式が採用されている。
【０００４】
また近年においては、より快適なドライブを実現するために、車両にテレビ受信機を搭載し、テレビ放送を視聴できるようにしている場合も多く、テレビ受信機にもダイバーシティ方式が多く採用されている。図７に、複数のアンテナと、複数のアンテナ接続対象機器（例えば、ＦＭラジオ受信機、テレビ受信機）とを備え、ダイバーシティ方式が採用された受信システムを概略的に示したブロック図を示す。
【０００５】
図中１はアンテナ切換装置を示しており、アンテナ切換装置１にはアンテナ６ａ〜６ｄからのアンテナ信号を２つに均等分配するための分配器２ａ〜２ｄと、アンテナ６ａ〜６ｄからのアンテナ信号のうちのいずれかを選択するための選択スイッチ３、１３と、選択スイッチ３、１３により選択されたアンテナ信号を増幅するためのアンプ４、１４と、アンテナ接続対象機器７、１７から送られてくる２ビットの信号（００、０１、１０、１１）を受信すると、受信した２ビットの信号の組み合わせに対応する一つの出力端子（各スイッチ端子３ａ〜３ｄ、１３ａ〜１３ｄに対応する端子）から信号を送信するデコーダドライバ５、１５とを含んで構成されている。
【０００６】
例えば、デコーダドライバ５は「００」の信号を受信すると、スイッチ端子３ａに対応する端子５ａから信号（Hig hレベルの信号）を送信し、「０１」の信号を受信すると、スイッチ端子３ｂに対応する端子５ｂから信号を送信し、「１０」「１１」の信号を受信すると、スイッチ端子３ｃ、３ｄそれぞれに対応する端子５ｃ、５ｄから信号を送信するようになっている。
【０００７】
【発明が解決しようとする課題】
ところで、図７に示した受信システムでは、アンテナ６ａ〜６ｄを複数のアンテナ接続対象機器７、１７で共用し、アンテナ接続対象機器７、１７はそれぞれの都合によって、アンテナ６ａ〜６ｄの切り換えを行うようになっているため、分配器２ａ〜２ｄを設けてアンテナ信号を２つに均等分配する必要があった。
【０００８】
しかしながら、アンテナ信号を分配すると分配損失が生じ、受信システム全体の雑音指数が劣化するため、受信感度が低下するといった問題があった。また、この分配損失を補うためには、アンプ４、１４を設ける必要があり、コストアップになるといった問題があった。
【０００９】
本発明は上記課題に鑑みなされたものであって、分配器を設ける必要がなく、安価で性能に優れたアンテナ切換装置を提供することを目的としている。
【００１０】
【課題を解決するための手段及びその効果】
上記目的を達成するために本発明に係るアンテナ切換装置（１）は、複数のアンテナと、複数のアンテナ接続対象機器とを備え、ダイバーシティ方式が採用された受信システムに用いるアンテナ切換装置であって、これら複数のアンテナからのアンテナ信号のうちのいずれかを選択して入力するための第１の入力選択手段と、該第１の入力選択手段により選択されたアンテナ信号を、これら複数のアンテナ接続対象機器のうちのいずれかへ出力するための第１の出力手段と、前記アンテナ信号を出力すべきアンテナ接続対象機器を決定する第１の機器決定手段と、該第１の機器決定手段による決定に基づいて、前記第１の出力手段を制御することによって、前記第１の機器決定手段により決定されたアンテナ接続対象機器へ、前記アンテナ信号を出力させる第１の出力制御手段と、前記アンテナ接続対象機器からの指示に基づいて、前記第１の入力選択手段を制御することによって、該第１の入力選択手段により選択されるアンテナ信号を切り換える第１の入力制御手段とを備えていることを特徴としている。
【００１１】
上記アンテナ切換装置（１）によれば、前記第１の入力選択手段により選択されたアンテナ信号が、複数のアンテナ接続対象機器のうちのいずれかへ出力されるようになっている。すなわち、前記第１の入力選択手段により選択されたアンテナが、同じ期間に、異なる２以上のアンテナ接続対象機器へ出力されることはないので、分配器を設けて前記アンテナ信号を分配する必要はない。
従って、分配損失は生じないため、アンプを設ける必要がないことはもちろんのこと、雑音指数の劣化が無く、受信感度の低下を防止することができるので、安価で性能の優れたアンテナ切換装置を実現することができる。
【００１２】
また、前記アンテナ接続対象機器からの指示に基づいて、前記第１の入力選択手段により選択されるアンテナ信号を切り換えることができるので、前記アンテナ接続対象機器の都合（例えば、受信強度の低下）によって、自由にアンテナの切り換えを行うことができる（ダイバーシティ方式の実現）。
【００１３】
また、本発明に係るアンテナ切換装置（２）は、上記アンテナ切換装置（１）において、これら複数のアンテナからのアンテナ信号のうちのいずれかを選択して入力するための第２の入力選択手段と、該第２の入力選択手段により選択されたアンテナ信号を、これら複数のアンテナ接続対象機器のうちの、所定のアンテナ接続対象機器へ出力するための第２の出力手段と、前記第１の機器決定手段により、前記所定のアンテナ接続対象機器が前記アンテナ信号を出力すべき機器と決定されると、前記第２の出力手段を制御することによって、前記所定のアンテナ接続対象機器へ、前記アンテナ信号を出力させる第２の出力制御手段と、前記アンテナ接続対象機器からの指示に基づいて、前記第２の入力選択手段を制御することによって、該第２の入力選択手段により選択されるアンテナ信号を切り換える第２の入力制御手段とを備えると共に、前記第１の入力選択手段により選択されるアンテナ信号と、前記第２の入力選択手段により選択されるアンテナ信号とが排他的となるように構成されていることを特徴としている。
【００１４】
ところで、アンテナ接続対象機器には、アンテナ信号を入力するための入力端子を２以上有し、同じ期間に、異なる２以上のアンテナからのアンテナ信号を入力するものがある。
【００１５】
上記アンテナ切換装置（２）によれば、前記アンテナ信号を出力すべきアンテナ接続対象機器として、前記所定のアンテナ接続対象機器が決定されると、前記第１の入力選択手段により選択されたアンテナ信号と、前記第２の入力選択手段により選択されたアンテナ信号とが、前記所定のアンテナ接続対象機器へ出力されるようになっている。従って、前記所定のアンテナ接続対象機器へは、同じ期間に、異なる２つのアンテナからのアンテナ信号を出力することができる。
また、前記第１の入力選択手段により選択されるアンテナ信号と、前記第２の入力選択手段により選択されるアンテナ信号とは排他的となるように構成されているので、分配器を設けてぞれぞれのアンテナ信号を分配する必要はない。
【００１６】
また、本発明に係るアンテナ切換装置（３）は、上記アンテナ切換装置（１）において、これら複数のアンテナからのアンテナ信号のうちのいずれかを選択して入力するための第２の入力選択手段と、該第２の入力選択手段により選択されたアンテナ信号を、所定の２以上のアンテナ接続対象機器のうちのいずれかへ出力するための第３の出力手段と、前記第１の機器決定手段により、前記所定の２以上のアンテナ接続対象機器のうちのいずれかが前記アンテナ信号を出力すべき機器と決定されると、前記第３の出力手段を制御することによって、前記第１の機器決定手段により決定されたアンテナ接続対象機器へ、前記アンテナ信号を出力させる第３の出力制御手段と、前記アンテナ接続対象機器からの指示に基づいて、前記第２の入力選択手段を制御することによって、該第２の入力選択手段により選択されるアンテナ信号を切り換える第２の入力制御手段とを備えると共に、前記第１の入力選択手段により選択されるアンテナ信号と、前記第２の入力選択手段により選択されるアンテナ信号とが排他的となるように構成されていることを特徴としている。
【００１７】
ところで、アンテナ接続対象機器には、アンテナ信号を入力するための入力端子を２以上有し、同じ期間に、異なる２以上のアンテナからのアンテナ信号を入力するものがある。
【００１８】
上記アンテナ切換装置（３）によれば、前記アンテナ信号を出力すべきアンテナ接続対象機器として、前記所定の２以上のアンテナ接続対象機器のうちのいずれかが決定されると、前記第１の入力選択手段により選択されたアンテナ信号と、前記第２の入力選択手段により選択されたアンテナ信号とが、決定された前記アンテナ接続対象機器へ出力されるようになっている。
従って、前記アンテナ接続対象機器へは、同じ期間に、異なる２つのアンテナからのアンテナ信号を出力することができる。
【００１９】
また、上記アンテナ切換装置（３）によれば、上記アンテナ切換装置（２）とは違って、同じ期間に、異なる２つのアンテナからのアンテナ信号の入力を要求するアンテナ接続対象機器を２以上接続することができる。
また、前記第１の入力選択手段により選択されるアンテナ信号と、前記第２の入力選択手段により選択されるアンテナ信号とは排他的となるように構成されているので、分配器を設けてぞれぞれのアンテナ信号を分配する必要はない。
【００２０】
また、本発明に係るアンテナ切換装置（４）は、上記アンテナ切換装置（２）又は（３）において、前記第２の入力選択手段により選択されたアンテナ信号の位相を変換させる位相変換手段を備えていることを特徴としている。
【００２１】
ところで、車両の右前に設けたアンテナの方向と、車両の右後に設けたアンテナの方向とが異なる場合、右前に設けたアンテナからのアンテナ信号と、右後に設けたアンテナからのアンテナ信号とは、当然のことながら位相が異なるため、両アンテナ信号をそのままのかたちで合成することはできない。
【００２２】
上記アンテナ切換装置（４）によれば、前記第２の入力選択手段により選択されたアンテナ信号の位相を変換させることができるので、前記第２の入力選択手段により選択されたアンテナ信号の位相を、前記第１の入力選択手段により選択されたアンテナ信号の位相と同じにすることができる。
従って、別のアンテナからのアンテナ信号を合成することが可能となるので、信頼度の高いアンテナ信号を前記アンテナ接続対象機器へ出力することができる。
【００２３】
また、本発明に係るアンテナ切換装置（５）は、複数のアンテナと、アンテナ信号を入力するためのメイン入力端子／サブ入力端子を有したアンテナ接続対象機器とを備え、ダイバーシティ方式が採用された受信システムに用いるアンテナ切換装置であって、これら複数のアンテナからのアンテナ信号のうちのいずれかを選択して入力するための第３の入力選択手段と、該第３の入力選択手段により選択されたアンテナ信号を、前記アンテナ接続対象機器のメイン入力端子／サブ入力端子のうちのいずれかへ出力するための第４の出力手段と、前記アンテナ接続対象機器からの指示に基づいて、前記第３の入力選択手段を制御することによって、該第３の入力選択手段により選択されるアンテナ信号を切り換える第３の入力制御手段と、前記アンテナ接続対象機器からの指示に基づいて、前記第４の出力手段を制御することによって、前記第３の入力選択手段により選択されたアンテナ信号をメイン入力端子／サブ入力端子のいずれかへ出力させる第４の出力制御手段と、これら複数のアンテナからのアンテナ信号のうちのいずれかを選択して入力するための第４の入力選択手段と、該第４の入力選択手段により選択されたアンテナ信号を、前記アンテナ接続対象機器のメイン入力端子／サブ入力端子のうちのいずれかへ出力するための第５の出力手段と、前記アンテナ接続対象機器からの指示に基づいて、前記第４の入力選択手段を制御することによって、該第４の入力選択手段により選択されるアンテナ信号を切り換える第４の入力制御手段と、前記アンテナ接続対象機器からの指示に基づいて、前記第５の出力手段を制御することによって、前記第４の入力選択手段により選択されたアンテナ信号をメイン入力端子／サブ入力端子のいずれかへ出力させる第５の出力制御手段とを備えると共に、前記第３の入力選択手段により選択されるアンテナ信号と、前記第４の入力選択手段により選択されるアンテナ信号とが排他的となるように構成され、さらには、前記第４の出力手段から出力されるアンテナ信号の出力先と、前記第５の出力手段から出力されるアンテナ信号の出力先とが排他的となるように構成されていることを特徴としている。
【００２４】
上記アンテナ切換装置（５）によれば、前記第３の入力選択手段により選択されたアンテナ信号を、前記アンテナ接続対象機器のメイン入力端子／サブ入力端子のうちのいずれかへ出力するための前記第４の出力手段と、前記第４の入力選択手段により選択されたアンテナ信号を、前記アンテナ接続対象機器のメイン入力端子／サブ入力端子のうちのいずれかへ出力するための前記第５の出力手段とを備え、さらには、前記第４の出力手段から出力されるアンテナ信号の出力先と、前記第５の出力手段から出力されるアンテナ信号の出力先とは排他的となるように構成されている。
【００２５】
すなわち、前記第３の入力選択手段により選択されたアンテナ信号が、前記アンテナ接続対象機器のメイン入力端子へ出力されている場合には、前記第４の入力選択手段により選択されたアンテナ信号は、サブ入力端子へ出力され、逆に、前記第３の入力選択手段により選択されたアンテナ信号が、サブ入力端子へ出力されている場合には、前記第４の入力選択手段により選択されたアンテナ信号は、メイン入力端子へ出力されるようになっている。
【００２６】
また、前記第３の入力選択手段により選択されるアンテナ信号と、前記第４の入力選択手段により選択されるアンテナ信号とが排他的となるように構成されているので、前記アンテナ接続対象機器のメイン入力端子／サブ入力端子へは、異なるアンテナからのアンテナ信号を出力することができる。
【００２７】
また、前記アンテナ接続対象機器からの指示に基づいて、前記第３の入力選択手段／前記第４の入力選択手段により選択されるアンテナ信号それぞれの出力先が切り換えられるようになっているので、前記アンテナ接続対象機器の都合（例えば、メイン入力端子の受信強度の低下）によって、自由にアンテナの切り換えを行うことができる。
【００２８】
例えば、サブ入力端子から入力しているアンテナ信号の受信強度が、メイン入力端子から入力しているアンテナ信号の受信強度を上回った場合に、前記アンテナ接続対象機器からアンテナ切り換えの指示があると、メイン入力端子へ出力しているアンテナ信号と、サブ入力端子へ出力しているアンテナ信号とを切り換えることができる。
【００２９】
また、先程も説明したように、前記第３の入力選択手段により選択されるアンテナ信号と、前記第４の入力選択手段により選択されるアンテナ信号とが排他的となるように構成されているので、分配器を設けてアンテナ信号を分配する必要はない。
従って、分配損失は生じないため、アンプを設ける必要がないことはもちろんのこと、雑音指数の劣化が無く、受信感度の低下を防止することができるので、安価で性能の優れたアンテナ切換装置を実現することができる。
【００３０】
また、前記アンテナ接続対象機器からの指示に基づいて、前記第３の入力選択手段／前記第４の入力選択手段により選択されるアンテナ信号を切り換えることができるので、前記アンテナ接続対象機器の都合（例えば、受信強度の低下）によって、自由にアンテナの切り換えを行うことができる。
従って、例えば、メイン入力端子と接続されるアンテナの切り換えは行わずに、サブ入力端子と接続されるアンテナの切り換えだけを行うようにすることによって、走査型と選択型とを組み合わせたダイバーシティ方式を実現することができる。
【００３１】
また、本発明に係るアンテナ切換装置（６）は、上記アンテナ切換装置（５）において、前記第３の入力選択手段と、前記第４の入力選択手段とのうち、前記アンテナ接続対象機器のメイン入力端子と接続されている入力選択手段については、アンテナの切り換えが行われず、他方、前記アンテナ接続対象機器のサブ入力端子と接続されている入力選択手段については、アンテナの切り換えが行われるように構成されていることを特徴としている。
【００３２】
上記アンテナ切換装置（６）によれば、メイン入力端子と接続されているアンテナの切り換えは行われず、サブ入力端子と接続されているアンテナの切り換えだけが行われるようになっているので、前記アンテナ接続対象機器から細かな指示を受けなくても、走査型のダイバーシティ方式を実現することができる。従って、アンテナ切換装置の構成を簡易なものとすることができる。
【００３３】
また、本発明に係るアンテナ切換装置（７）は、上記アンテナ切換装置（５）又は（６）において、前記第４の出力手段が、前記第３の入力選択手段により選択されたアンテナ信号を、前記アンテナ接続対象機器、及び該アンテナ接続対象機器とは別の１以上のアンテナ接続対象機器のうちのいずれかへ出力するものであり、前記アンテナ信号を出力すべきアンテナ接続対象機器を決定する第２の機器決定手段と、該第２の機器決定手段による決定に基づいて、前記第４の出力手段を制御することによって、前記第２の機器決定手段により決定されたアンテナ接続対象機器へ、前記アンテナ信号を出力させる第６の出力制御手段とを備えていることを特徴としている。
【００３４】
上記アンテナ切換装置（７）によれば、前記第３の入力選択手段により選択されたアンテナ信号が、複数のアンテナ接続対象機器のうちのいずれかへ出力されるようになっている。
従って、上記アンテナ切換装置を、複数のアンテナ接続対象機器を備えた受信システムにも採用することができる。
【００３５】
また、本発明に係るアンテナ切換装置（８）は、上記アンテナ切換装置（１）〜（７）のいずれかにおいて、これら複数のアンテナとアンテナ接続対象機器とを繋ぐアンテナ信号線には、アンテナ信号が通過可能な第１の通過手段が設けられると共に、該第１の通過手段とアンテナ接続対象機器との間に、前記アンテナ信号の通過を阻止する一方、前記アンテナ接続対象機器から送信されてくる信号を通過させる第１の阻止手段が直列接続されていることを特徴としている。
【００３６】
上記アンテナ切換装置（８）によれば、複数のアンテナと前記アンテナ接続対象機器とを繋ぐアンテナ信号線（すなわち、アンテナ信号を伝えるライン）には、前記アンテナ信号が通過可能な前記第１の通過手段（例えば、３０ＭＨｚ以上の高周波数を通過させるフィルタ）が設けられ、前記第１の通過手段と前記アンテナ接続対象機器との間に、前記アンテナ信号の通過を阻止する一方、前記アンテナ接続対象機器から送信されてくる信号を通過させる前記第１の阻止手段（例えば、１００ｋＨｚ以下の低周波数を通過させるフィルタ）が直列に接続されている。
【００３７】
すなわち、低周波数の搬送波を使って信号を送信するようにすれば、前記アンテナ接続対象機器から前記信号を前記アンテナ信号線を媒体として、所定の箇所へ前記信号を送信することができる。従って、前記アンテナ接続対象機器からの信号を入力するためだけの別の信号線を設けなくても良いので、装置の簡略化を図ることができる。
【００３８】
また、本発明に係るアンテナ切換装置（９）は、第１のアンテナ及び第２のアンテナを含んで構成される第１のアンテナ群と、第３のアンテナ及び第４のアンテナを含んで構成される第２のアンテナ群と、アンテナ信号を入力するための第１の入力端子及び第２の入力端子を有し、２つの異なる有意状態を示した信号を送信するアンテナ接続対象機器とを備え、ダイバーシティ方式が採用された受信システムに用いるアンテナ切換装置であって、前記第１のアンテナ群を構成する前記第１のアンテナからのアンテナ信号、又は前記第２のアンテナからのアンテナ信号を選択して入力するための第５の入力選択手段と、前記第２のアンテナ群を構成する前記第３のアンテナからのアンテナ信号、又は前記第４のアンテナからのアンテナ信号を選択して入力するための第６の入力選択手段とを備えると共に、前記第１のアンテナ群と前記アンテナ接続対象機器の前記第１の入力端子とを繋ぐ第１のアンテナ信号線には、前記アンテナ信号が通過可能な第２の通過手段が設けられ、該第２の通過手段と前記アンテナ接続対象機器との間に、前記アンテナ信号の通過を阻止する一方、前記アンテナ接続対象機器から送信される信号を通過させる第２の阻止手段が直列接続され、前記第５の入力選択手段が、前記アンテナ接続対象機器から送信されてくる信号に基づいて、アンテナの切り換えを行うものであり、他方、前記第２のアンテナ群と前記アンテナ接続対象機器の前記第２の入力端子とを繋ぐ第２のアンテナ信号線にも、前記アンテナ信号が通過可能な第３の通過手段が設けられ、該第３の通過手段と前記アンテナ接続対象機器との間に、前記アンテナ信号の通過を阻止する一方、前記アンテナ接続対象機器から送信される信号を通過させる第３の阻止手段が直列接続され、前記第６の入力選択手段が、前記アンテナ接続対象機器から送信されてくる信号に基づいて、アンテナの切り換えを行うものであることを特徴としている。
【００３９】
ところで、テレビ放送のＶＨＦとＵＨＦとでは、ＵＨＦの方がＶＨＦよりも高域周波数帯域であるため、車両に使用周波数帯域の異なるアンテナを２つずつ配置する場合などがあり、例えば、ＵＨＦの電波を受信する場合には、アンテナａ、ｂを用い、ＶＨＦの電波を受信する場合には、これらアンテナａ、ｂとは使用周波数帯域の異なるアンテナｃ、ｄを用いる場合がある。
従って、このような場合には、アンテナａとアンテナｂとがペアを形成し、アンテナｃとアンテナｄとがペアを形成していることとなり、利用するアンテナをペア毎に切り換える必要が生じる場合がある。
【００４０】
上記アンテナ切換装置（９）によれば、前記第５の入力選択手段により選択されたアンテナ信号が、前記アンテナ接続対象機器の前記第１の入力端子へ出力される。また、該アンテナ接続対象機器から出力される信号（例えば、Highレベル、Low レベル）に基づいて、前記第５の入力選択手段により選択されるアンテナ信号が切り換えられるので、前記アンテナ接続対象機器の都合によって、前記第１のアンテナ群のアンテナの切り換えを自由に行うことができる。
【００４１】
また、前記第６の入力選択手段により選択されたアンテナ信号が、前記アンテナ接続対象機器の前記第２の入力端子へ出力される。また、該アンテナ接続対象機器から出力される信号（例えば、Highレベル、Low レベル）に基づいて、前記第６の入力選択手段により選択されるアンテナ信号が切り換えられるので、前記アンテナ接続対象機器の都合によって、前記第２のアンテナ群のアンテナの切り換えを自由に行うことができる。
【００４２】
例えば、前記アンテナ接続対象機器の前記第１の入力端子からHighレベルの信号（例えば、１２Ｖの信号電圧）が出力され、前記第２の入力端子からLow レベルの信号（例えば、０Ｖの信号電圧）が出力されると、前記第１のアンテナ群の前記第１のアンテナからのアンテナ信号が前記第１の入力端子へ出力され、前記第２のアンテナ群の前記第３のアンテナからのアンテナ信号が前記第２の入力端子へ出力されるようにすることができる。
【００４３】
また逆に、前記第１の入力端子からLow レベルの信号（例えば、０Ｖの信号電圧）が出力され、前記第２の入力端子からHighレベルの信号（例えば、１２Ｖの信号電圧）が出力されると、前記第１のアンテナ群の前記第２のアンテナからのアンテナ信号が前記第１の入力端子へ出力され、前記第２のアンテナ群の前記第４のアンテナからのアンテナ信号が前記第２の入力端子へ出力されるようにすることができる。
従って、前記第１のアンテナと前記第３のアンテナとをペアとし、前記第２のアンテナと前記第４のアンテナとをペアとし、利用するアンテナをペア毎に簡単に切り換えることができる。
【００４４】
また、前記アンテナ接続対象機器から前記信号を前記アンテナ信号線を媒体として、前記信号を送信することができるので、前記アンテナ接続対象機器からの信号を入力するためだけの別の信号線を設けなくても良いので、装置の簡略化を図ることができる。
【００４５】
また、本発明に係るアンテナ切換装置（１０）は、上記アンテナ切換装置（９）において、前記第１のアンテナ信号線と前記第１の阻止手段を介して接続され、該第１の阻止手段を通過してきた信号を一方向にだけ流す第１の整流手段と、前記第２のアンテナ信号線と前記第２の阻止手段を介して接続され、該第２の阻止手段を通過してきた信号を一方向にだけ電流を流す第２の整流手段とを備えていることを特徴としている。
【００４６】
上記アンテナ切換装置（１０）によれば、前記第１のアンテナ信号線と前記第１の阻止手段を介して接続され、該第１の阻止手段を通過してきた信号を一方向にだけ流す第１の整流手段を備えているので、前記第１の入力端子からHighレベル（例えば、１２Ｖの信号電圧）が出力された場合には、その信号電圧を前記第１の整流手段から流すことができる。
【００４７】
また、前記第２のアンテナ信号線と前記第２の阻止手段を介して接続され、該第２の阻止手段を通過してきた信号を一方向にだけ流す第２の整流手段を備えているので、前記第２の入力端子からHighレベル（例えば、１２Ｖの信号電圧）が出力された場合には、その信号電圧を前記第２の整流手段から流すことができる。
【００４８】
すなわち、前記アンテナ接続対象機器の前記第１の入力端子、前記第２の入力端子の一方から、Highレベルの信号が出力されてさえいれば、前記第１の整流手段、又は前記第２の整流手段から１２Ｖの信号電圧を流すことができる。また、この１２Ｖの信号電圧はアンテナ切換装置内における電源電圧として利用することができる。従って、アンテナ切換装置内に別の電源回路装置を設けなくても良いので、装置の簡略化を図ることができる。
【００４９】
【発明の実施の形態】
以下、本発明に係るアンテナ切換装置の実施の形態を図面に基づいて説明する。図１は、実施の形態（１）に係るアンテナ切換装置を採用した受信システムの要部を概略的に示したブロック図である。なお、ここでは前記受信システムが車両で採用される場合について説明する。
【００５０】
図中２１はアンテナ切換装置を示しており、アンテナ切換装置２１にはアンテナ６ａ〜６ｄからのアンテナ信号のうちのいずれかを選択するための選択スイッチ２２と、選択スイッチ２２を切り換えるためのデコーダドライバ２３と、選択スイッチ２２により選択されたアンテナ信号を、複数のアンテナ接続対象機器２７ａ〜２７ｃのうちのいずれかへ出力するための出力スイッチ群２４と、出力スイッチ群２４を構成する各出力スイッチ２４ａ〜２４ｃを切り換えるための接続機器切換回路２５とを含んで構成されている。
【００５１】
アンテナ６ａ〜６ｄそれぞれは、車両の所定箇所に所定方向を向けて設置されたものであり、アンテナ６ａ〜６ｄは各々、選択スイッチ２２の入力端子２２ａ〜２２ｄに接続され、選択スイッチ２２の出力端子２２ｅは出力スイッチ群２４の入力側に接続されている。
【００５２】
出力スイッチ群２４の出力側は、３０ＭＨｚ以上の高周波数のアンテナ信号（すなわち、ＦＭラジオやテレビの放送局から送信されるアンテナ信号）が通過可能なＨＰＦ（高域通過フィルタ）２６ａ〜２６ｃを介して、アンテナ接続対象機器２７ａ〜２７ｃと接続されている。なお、ＨＰＦ２６ａ〜２６ｃとしては、小容量のコンデンサなどが挙げられる。
【００５３】
接続機器切換回路２５は、各アンテナ接続対象機器２７ａ〜２７ｃに装備された電源回路（図示せず）の出力電源電圧を取り込み、立ち上がりの変化を監視しており、前記電源回路の出力電源電圧の立ち上がりを検知すると、前記電源回路の出力電源電圧が立ち上がったアンテナ接続対象機器２７ａ〜２７ｃへアンテナ信号が出力されるように、制御信号を出力スイッチ群２４へ出力するようになっている。
【００５４】
なお、あるアンテナ接続対象機器の電源回路が既に立ち上がっているときに、別のアンテナ接続対象機器の電源回路の出力電源電圧が立ち上がった場合には、後に立ち上がった前記アンテナ接続対象機器へ前記アンテナ信号が出力されるように、前記制御信号を出力スイッチ群２４へ出力するようになっている。
【００５５】
デコーダドライバ２３は、アンテナ接続対象機器２７ａ〜２７ｃから送られてくる２ビットの信号（００、０１、１０、１１）を受信すると、受信した２ビットの信号の組み合わせに対応する一つの出力端子２３ａ〜２３ｄ（選択スイッチ２２の各入力端子２２ａ〜２２ｄに対応する端子）から信号を送信するようになっている。
【００５６】
例えば、デコーダドライバ２３は「００」の信号を受信すると、選択スイッチ２２の入力端子２２ａに対応する出力端子２３ａから制御信号（Highレベルの信号）を送信し、「０１」の信号を受信すると、選択スイッチ２２の入力端子２２ｂに対応する出力端子２３ｂから制御信号を送信し、「１０」「１１」それぞれの信号を受信すると、入力端子２２ｃ、２２ｄそれぞれに対応する出力端子２３ｃ、２３ｄから制御信号を送信するようになっている。これにより、アンテナ接続対象機器２７ａ〜２７ｃからの指示に基づいて、自由にアンテナの切り換えを行うことができる。
【００５７】
次に、実施の形態（１）に係るアンテナ切換装置の動作の一例について説明する。ユーザーによりアナログテレビ（アンテナ接続対象機器２７ａ）を視聴するために、アナログテレビの電源スイッチがＯＮされると、アンテナ接続対象機器２７ａの電源回路によって機器内の各部に電源が供給される。
【００５８】
接続機器切換回路２５は、前記電源回路の出力電源電圧の立ち上がりを監視しており、前記電源回路の出力電源電圧が立ち上がると、前記電源回路の出力電源電圧が立ち上がったアンテナ接続対象機器２７ａ（アナログテレビ）へアンテナ信号が出力されるように、制御信号を出力スイッチ群２４の出力スイッチ２４ａへ出力する。なお、このとき選択スイッチ２２の出力端子２２ｅは、入力端子２２ａ（アンテナ６ａ）と接続されているものとする。
【００５９】
アンテナ接続対象機器２７ａは、立ち上げ当初、アンテナ６ａからのアンテナ信号を入力することとなるが、このアンテナ信号の受信強度が所定値以下になると、デコーダドライバ２３へ２ビットの信号（例えば、「０１」）を送信するようになっている。
【００６０】
デコーダドライバ２３は、アンテナ接続対象機器２７ａから２ビットの信号を受信すると、受信した信号に基づいて、所定の出力端子（例えば、出力端子２３ｂ）から制御信号（Highレベルの信号）を送信する。
【００６１】
選択スイッチ２２は、デコーダドライバ２３からの制御信号を受信すると、出力端子２２ｅと入力端子２２ｂ（アンテナ６ｂ）とを接続する。これにより、アンテナ接続対象機器２７ａへ出力されるアンテナ信号は、アンテナ６ａのアンテナ信号から、アンテナ６ｂのアンテナ信号へと切り換わる。
【００６２】
上記実施の形態（１）に係るアンテナ切換装置によれば、選択スイッチ２２により選択されたアンテナ信号が、アンテナ接続対象機器２７ａ〜２７ｃのうちのいずれかへ出力されるようになっている。すなわち、選択スイッチ２２により選択されたアンテナが、同じ期間に、異なる２以上のアンテナ接続対象機器へ出力されることはないので、分配器を設けて前記アンテナ信号を分配する必要はない。
【００６３】
従って、分配損失は生じないため、アンプを設ける必要がないことはもちろんのこと、雑音指数の劣化が無く、受信感度の低下を防止することができるので、安価で性能に優れたアンテナ切換装置を実現することができる。
【００６４】
また、アンテナ接続対象機器２７ａ〜２７ｃからの指示に基づいて、選択スイッチ２２により選択されるアンテナ信号を切り換えることができるので、アンテナ接続対象機器２７ａ〜２７ｃの都合（例えば、受信強度の低下）によって、自由にアンテナの切り換えを行うことができる（ダイバーシティ方式の実現）。
【００６５】
図２は、実施の形態（２）に係るアンテナ切換装置を採用した受信システムの要部を概略的に示したブロック図である。但し、図１に示したアンテナ切換装置と同様の構成部分については同符号を付し、ここではその説明を省略する。
【００６６】
図中３１はアンテナ切換装置を示しており、アンテナ切換装置３１にはアンテナ６ａ〜６ｄからのアンテナ信号のうちのいずれかを選択するための選択スイッチ２２、３２と、選択スイッチ２２、３２を切り換えるためのデコーダドライバ３３と、選択スイッチ２２により選択されたアンテナ信号を、複数のアンテナ接続対象機器２７ａ、２７ｂ、３７のうちのいずれかへ出力するための出力スイッチ群２４と、選択スイッチ３２により選択されたアンテナ信号を、アンテナ接続対象機器３７へ出力するための出力スイッチ３４と、出力スイッチ群２４を構成する各出力スイッチ２４ａ〜２４ｃ、及び出力スイッチ３４のＯＮ／ＯＦＦを切り換えるための接続機器切換回路３５とを含んで構成されている。
【００６７】
アンテナ６ａ〜６ｄそれぞれは、車両の所定箇所に所定方向を向けて設置されており、アンテナ６ａ〜６ｄは各々、選択スイッチ２２、３２の入力端子２２ａ〜２２ｄ、３２ａ〜３２ｄに接続され、選択スイッチ２２の出力端子２２ｅは出力スイッチ群２４の入力側に接続され、また、選択スイッチ３２の出力端子３２ｅは出力スイッチ３４の入力側に接続されている。
【００６８】
出力スイッチ群２４の出力側は、３０ＭＨｚ以上の高周波数のアンテナ信号（すなわち、ＦＭラジオやテレビの放送局から送信されるアンテナ信号）が通過可能なＨＰＦ（高域通過フィルタ）２６ａ〜２６ｃを介して、アンテナ接続対象機器２７ａ、２７ｂ、３７と接続されている。また、出力スイッチ３４の出力側についても、３０ＭＨｚ以上の高周波数のアンテナ信号が通過可能なＨＰＦ３６を介して、アンテナ接続対象機器３７と接続されている。なお、ＨＰＦ３６としては、小容量のコンデンサなどが挙げられる。
【００６９】
接続機器切換回路３５は、各アンテナ接続対象機器２７ａ、２７ｂ、３７に装備された電源回路（図示せず）の出力電源電圧を取り込み、立ち上がりの変化を監視しており、前記電源回路の出力電源電圧の立ち上がりを検知すると、前記電源回路の出力電源電圧が立ち上がったアンテナ接続対象機器２７ａ、２７ｂ、３７へアンテナ信号が出力されるように、制御信号を出力スイッチ群２４、出力スイッチ３４へ出力するようになっている。
【００７０】
なお、あるアンテナ接続対象機器の電源回路が既に立ち上がっているときに、別のアンテナ接続対象機器の電源回路の出力電源電圧が立ち上がった場合には、後に立ち上がった前記アンテナ接続対象機器へ前記アンテナ信号が出力されるように、前記制御信号を出力スイッチ群２４、出力スイッチ３４へ出力するようになっている。
【００７１】
デコーダドライバ３３は、アンテナ接続対象機器２７ａ、２７ｂ、３７から送られてくる２ビットの信号（００、０１、１０、１１）を受信すると、受信した２ビットの信号の組み合わせに対応する一つの出力端子３３ａ1 〜３３ｄ1 、３３ａ2 〜３３ｄ2 （選択スイッチ２２、３２の各入力端子２２ａ〜２２ｄ、３２ａ〜３２ｄに対応する出力端子）から信号を送信するようになっている。
【００７２】
また、デコーダドライバ３３は、選択スイッチ２２により選択されるアンテナと、選択スイッチ３２により選択されるアンテナとが排他的となるように、前記信号を送信するようになっている。
【００７３】
例えば、デコーダドライバ３３は「００」の信号を受信すると、選択スイッチ２２の入力端子２２ａに対応する出力端子３３ａ1 から制御信号（Highレベルの信号）を送信し、他方、選択スイッチ３２の入力端子３２ｂに対応する出力端子３３ｂ2 から制御信号（Highレベルの信号）を送信し、「１１」の信号を受信すると、選択スイッチ２２の入力端子２２ｄに対応する出力端子３３ｄ1 から制御信号を送信し、他方、選択スイッチ３２の入力端子３２ａに対応する出力端子３３ａ2 から制御信号を送信するようになっている。これにより、アンテナ接続対象機器２７ａ、２７ｂ、３７からの指示に基づいて、自由にアンテナの切り換えを行うことができる。
【００７４】
次に、実施の形態（２）に係るアンテナ切換装置の動作の一例について説明する。ユーザーによりアナログテレビ（アンテナ接続対象機器２７ａ）を視聴するために、アナログテレビの電源スイッチがＯＮされると、アンテナ接続対象機器２７ａの電源回路によって機器内の各部に電源が供給される。
【００７５】
接続機器切換回路３５は、前記電源回路の出力電源電圧の立ち上がりを監視しており、前記電源回路の出力電源電圧が立ち上がると、前記電源回路の出力電源電圧が立ち上がったアンテナ接続対象機器２７ａ（アナログテレビ）へアンテナ信号が出力されるように、制御信号（Highレベルの信号）を出力スイッチ群２４（出力スイッチ２４ａ）へ出力する。
【００７６】
なお、このとき出力スイッチ３４はＯＦＦ状態となっており、また、選択スイッチ２２の出力端子２２ｅは、入力端子２２ａ（アンテナ６ａ）と接続され、選択スイッチ３２の出力端子３２ｅは、入力端子３２ｂ（アンテナ６ｂ）と接続されているものとする。
【００７７】
アンテナ接続対象機器２７ａは、立ち上げ当初、アンテナ６ａからのアンテナ信号を入力することとなるが、このアンテナ信号の受信強度が所定値以下になると、デコーダドライバ３３へ２ビットの信号（例えば、「０１」）を送信するようになっている。
【００７８】
デコーダドライバ３３は、アンテナ接続対象機器２７ａから２ビットの信号を受信すると、受信した信号に基づいて、所定の出力端子（例えば、出力端子３３ｂ1 、出力端子３３ｃ2 ）から制御信号を送信する。
【００７９】
選択スイッチ２２は、デコーダドライバ３３からの制御信号を受信すると、出力端子２２ｅと入力端子２２ｂ（アンテナ６ｂ）とを接続する。これにより、アンテナ接続対象機器２７ａへ出力されるアンテナ信号は、アンテナ６ａのアンテナ信号から、アンテナ６ｂのアンテナ信号へと切り換わる。
また、選択スイッチ３２は、デコーダドライバ３３からの制御信号を受信すると、出力端子３２ｅと入力端子３２ｃ（アンテナ６ｃ）とを接続する。
【００８０】
次に、ユーザーによりディジタルテレビ（アンテナ接続対象機器３７）を視聴するために、ディジタルテレビの電源スイッチがＯＮされると、アンテナ接続対象機器３７の電源回路によって機器内の各部に電源が供給される。
【００８１】
接続機器切換回路３５は、前記電源回路の出力電源電圧の立ち上がりを監視しており、前記電源回路の出力電源電圧が立ち上がると、前記電源回路の出力電源電圧が立ち上がったアンテナ接続対象機器３７（ディジタルテレビ）へアンテナ信号が出力されるように、制御信号（Highレベルの信号）を出力スイッチ群２４（出力スイッチ２４ｃ）と出力スイッチ３４とへ出力する。
【００８２】
なお、このとき選択スイッチ２２の出力端子２２ｅは、入力端子２２ｂ（アンテナ６ｂ）と接続され、選択スイッチ３２の出力端子３２ｅは、入力端子３２ｃ（アンテナ６ｃ）と接続されているものとする。
【００８３】
アンテナ接続対象機器３７は、立ち上げ当初、アンテナ６ｂ、６ｃからのアンテナ信号を入力することとなるが、これらアンテナ６ｂ、６ｃからのアンテナ信号の受信強度が所定値以下になると、デコーダドライバ３３へ２ビットの信号（例えば、「１０」）を送信するようになっている。
【００８４】
デコーダドライバ３３は、アンテナ接続対象機器３７から２ビットの信号を受信すると、受信した信号に基づいて、所定の出力端子（例えば、出力端子３３ｃ1 、出力端子３３ｄ2 ）から制御信号（Highレベルの信号）を送信する。
【００８５】
選択スイッチ２２は、デコーダドライバ３３からの制御信号を受信すると、出力端子２２ｅと入力端子２２ｃ（アンテナ６ｃ）とを接続し、他方、選択スイッチ３２は、出力端子３２ｅと入力端子３２ｄ（アンテナ６ｄ）とを接続する。これにより、アンテナ接続対象機器３７へ出力されるアンテナ信号は、アンテナ６ｂ、６ｃから、アンテナ６ｃ、６ｄのアンテナ信号へと切り換わる。
【００８６】
上記実施の形態（２）に係るアンテナ切換装置によれば、前記アンテナ信号を出力すべきアンテナ接続対象機器として、２つの入力端子を有したアンテナ接続対象機器３７が決定されると、選択スイッチ２２により選択されたアンテナ信号と、選択スイッチ３２により選択されたアンテナ信号とが、アンテナ接続対象機器３７へ出力されるようになっている。従って、アンテナ接続対象機器３７へは、同じ期間に、異なる２つのアンテナからのアンテナ信号を出力することができる。
【００８７】
また、選択スイッチ２２により選択されるアンテナ信号と、選択スイッチ３２により選択されるアンテナ信号とは排他的となるように構成されているので、分配器を設けてぞれぞれのアンテナ信号を分配する必要はない。
【００８８】
なお、上記実施の形態（２）に係るアンテナ切換装置では、２以上の入力端子を有したアンテナ接続対象機器３７が１つだけ接続される場合についてのみ説明しているが、前記アンテナ接続対象機器が２以上接続された場合であっても、上記と同様の形態で実現することができる。
【００８９】
図３は、実施の形態（３）に係るアンテナ切換装置を採用した受信システムの要部を概略的に示したブロック図である。但し、図２に示したアンテナ切換装置と同様の構成部分については同符号を付し、ここではその説明を省略する。
【００９０】
図中４１はアンテナ切換装置を示しており、アンテナ切換装置４１にはアンテナ６ａ〜６ｄからのアンテナ信号のうちのいずれかを選択するための選択スイッチ２２、３２と、選択スイッチ２２、３２を切り換えるためのデコーダドライバ４３と、選択スイッチ２２により選択されたアンテナ信号を、複数のアンテナ接続対象機器２７ａ〜２７ｃのうちのいずれかへ出力するための出力スイッチ群２４と、選択スイッチ３２により選択されたアンテナ信号を、アンテナ接続対象機器２７ａへ出力するための出力スイッチ４４と、出力スイッチ群２４を構成する各出力スイッチ２４ａ〜２４ｃ、及び出力スイッチ４４のＯＮ／ＯＦＦを切り換えるための接続機器切換回路４５とを含んで構成されている。また、選択スイッチ３２と出力スイッチ４４との間には、アンテナ信号の位相を変換するためのフェーズシフト４２が設けられている。
【００９１】
アンテナ６ａ〜６ｄそれぞれは、車両の所定箇所に所定方向を向けて設置されており、アンテナ６ａ〜６ｄは各々、選択スイッチ２２、３２の入力端子２２ａ〜２２ｄ、３２ａ〜３２ｄに接続され、選択スイッチ２２の出力端子２２ｅは出力スイッチ群２４の入力側に接続され、また、選択スイッチ３２の出力端子３２ｅは出力スイッチ４４の入力側に接続されている。
【００９２】
出力スイッチ群２４の出力側は、３０ＭＨｚ以上の高周波数のアンテナ信号（すなわち、ＦＭラジオやテレビの放送局から送信されるアンテナ信号）が通過可能なＨＰＦ（高域通過フィルタ）２６ａ〜２６ｃを介して、アンテナ接続対象機器２７ａ〜２７ｃと接続されている。
また、出力スイッチ４４の出力側についても、３０ＭＨｚ以上の高周波数のアンテナ信号が通過可能なＨＰＦ４６を介して、アンテナ接続対象機器２７ｃと接続されている。なお、ＨＰＦ４６としては、小容量のコンデンサなどが挙げられる。
【００９３】
接続機器切換回路４５は、各アンテナ接続対象機器２７ａ〜２７ｃに装備された電源回路（図示せず）の出力電源電圧を取り込み、立ち上がりの変化を監視しており、前記電源回路の出力電源電圧の立ち上がりを検知すると、前記電源回路の出力電源電圧が立ち上がったアンテナ接続対象機器２７ａ〜２７ｃへアンテナ信号が出力されるように、制御信号を出力スイッチ群２４、出力スイッチ４４へ出力するようになっている。
【００９４】
なお、あるアンテナ接続対象機器の電源回路が既に立ち上がっているときに、別のアンテナ接続対象機器の電源回路の出力電源電圧が立ち上がった場合には、後に立ち上がった前記アンテナ接続対象機器へ前記アンテナ信号が出力されるように、前記制御信号を出力スイッチ群２４、出力スイッチ４４へ出力するようになっている。
【００９５】
デコーダドライバ４３は、アンテナ接続対象機器２７ａ〜２７ｃから送られてくる２ビットの信号（００、０１、１０、１１）を受信すると、受信した２ビットの信号の組み合わせに対応する一つの出力端子４３ａ1 〜４３ｄ1 、４３ａ2 〜４３ｄ2 （選択スイッチ２２、３２の各入力端子２２ａ〜２２ｄ、３２ａ〜３２ｄに対応する出力端子）から信号を送信するようになっている。
【００９６】
また、デコーダドライバ４３は、選択スイッチ２２により選択されるアンテナと、選択スイッチ３２により選択されるアンテナとが排他的となるように、前記信号を送信するようになっている。
【００９７】
例えば、デコーダドライバ４３は「００」の信号を受信すると、選択スイッチ２２の入力端子２２ａに対応する出力端子４３ａ1 から制御信号（Highレベルの信号）を送信し、他方、選択スイッチ３２の入力端子３２ｂに対応する出力端子４３ｂ2 から制御信号（Highレベルの信号）を送信し、「１１」の信号を受信すると、選択スイッチ２２の入力端子２２ｄに対応する出力端子４３ｄ1 から制御信号を送信し、他方、選択スイッチ３２の入力端子３２ａに対応する出力端子４３ａ2 から制御信号を送信するようになっている。これにより、アンテナ接続対象機器２７ａ〜２７ｃからの指示に基づいて、自由にアンテナの切り換えを行うことができる。
【００９８】
次に、実施の形態（３）に係るアンテナ切換装置の動作の一例について説明する。ユーザーによりディジタルラジオ（アンテナ接続対象機器２７ｂ）を聴取するために、ディジタルラジオの電源スイッチがＯＮされると、アンテナ接続対象機器２７ｂの電源回路によって機器内の各部に電源が供給される。
【００９９】
接続機器切換回路４５は、前記電源回路の出力電源電圧の立ち上がりを監視しており、前記電源回路の出力電源電圧が立ち上がると、前記電源回路の出力電源電圧が立ち上がったアンテナ接続対象機器２７ｂ（ディジタルラジオ）へアンテナ信号が出力されるように、制御信号（Highレベルの信号）を出力スイッチ群２４（出力スイッチ２４ｂ）へ出力する。
【０１００】
なお、このとき出力スイッチ４４はＯＦＦ状態となっており、また、選択スイッチ２２の出力端子２２ｅは、入力端子２２ａ（アンテナ６ａ）と接続され、選択スイッチ３２の出力端子３２ｅは、入力端子３２ｂ（アンテナ６ｂ）と接続されているものとする。
【０１０１】
アンテナ接続対象機器２７ｂは、立ち上げ当初、アンテナ６ａからのアンテナ信号を入力することとなるが、このアンテナ信号の受信強度が所定値以下になると、デコーダドライバ４３へ２ビットの信号（例えば、「０１」）を送信するようになっている。
【０１０２】
デコーダドライバ４３は、アンテナ接続対象機器２７ｂから２ビットの信号を受信すると、受信した信号に基づいて、所定の出力端子（例えば、出力端子４３ｂ1 、出力端子４３ｃ2 ）から制御信号（Highレベルの信号）を送信する。
【０１０３】
選択スイッチ２２は、デコーダドライバ４３からの制御信号を受信すると、出力端子２２ｅと入力端子２２ｂ（アンテナ６ｂ）とを接続する。これにより、アンテナ接続対象機器２７ｂへ出力されるアンテナ信号は、アンテナ６ａのアンテナ信号から、アンテナ６ｂのアンテナ信号へと切り換わる。
また、選択スイッチ３２は、デコーダドライバ４３からの制御信号を受信すると、出力端子３２ｅと入力端子３２ｃ（アンテナ６ｃ）とを接続する。
【０１０４】
次に、ユーザーによりアナログテレビ（アンテナ接続対象機器２７ａ）を視聴するために、アナログテレビの電源スイッチがＯＮされると、アンテナ接続対象機器２７ａの電源回路によって機器内の各部に電源が供給される。
【０１０５】
接続機器切換回路４５は、前記電源回路の出力電源電圧の立ち上がりを監視しており、前記電源回路の出力電源電圧が立ち上がると、前記電源回路の出力電源電圧が立ち上がったアンテナ接続対象機器２７ａ（アナログテレビ）へアンテナ信号が出力されるように、制御信号（Highレベルの信号）を出力スイッチ群２４（出力スイッチ２４ａ）と出力スイッチ４４とへ出力する。
【０１０６】
なお、このとき選択スイッチ２２の出力端子２２ｅは、入力端子２２ｂ（アンテナ６ｂ）と接続され、選択スイッチ３２の出力端子３２ｅは、入力端子３２ｃ（アンテナ６ｃ）と接続されているものとする。
【０１０７】
これにより、アンテナ接続対象機器２７ａへは、アンテナ６ｂからのアンテナ信号と、フェーズシフト４２によって位相変換された、アンテナ６ｃからのアンテナ信号とを合成したものが入力されることとなる。
【０１０８】
上記実施の形態（３）に係るアンテナ切換装置によれば、選択スイッチ３２により選択されたアンテナ信号の位相を変換させることができるので、選択スイッチ３２により選択されたアンテナ信号の位相を、選択スイッチ２２により選択されたアンテナ信号の位相と同じにすることができる。
従って、別のアンテナからのアンテナ信号を合成することが可能となるので、信頼度の高いアンテナ信号をアンテナ接続対象機器２７ａへ出力することができる。
【０１０９】
図４は、実施の形態（４）に係るアンテナ切換装置を採用した受信システムの要部を概略的に示したブロック図である。但し、図２に示したアンテナ切換装置と同様の構成部分については同符号を付し、ここではその説明を省略する。
【０１１０】
図中５１はアンテナ切換装置を示しており、アンテナ切換装置５１にはアンテナ６ａ〜６ｄからのアンテナ信号のうちのいずれかを選択するための選択スイッチ２２、３２と、選択スイッチ２２、３２を切り換えるためのデコーダドライバ５３、６３と、選択スイッチ２２により選択されたアンテナ信号を、アンテナ接続対象機器２７ａ、及びアンテナ接続対象機器５７のメイン入力端子Ｍ／サブ入力端子Ｓのうちのいずれかへ出力するための出力スイッチ群５４と、選択スイッチ３２により選択されたアンテナ信号を、アンテナ接続対象機器５７のメイン入力端子Ｍ／サブ入力端子Ｓのうちのいずれかへ出力するための出力スイッチ群６４と、出力スイッチ群５４を構成する各出力スイッチ５４ａ〜５４ｃ、及び出力スイッチ群６４の各出力スイッチ６４ｂ、６４ｃを切り換えるための（接続機器切換回路５５ａを有した）接続機器切換装置５５とを含んで構成されている。
【０１１１】
アンテナ６ａ〜６ｄそれぞれは、車両の所定箇所に所定方向を向けて設置されており、アンテナ６ａ〜６ｄは各々、選択スイッチ２２、３２の入力端子２２ａ〜２２ｄ、３２ａ〜３２ｄに接続され、選択スイッチ２２の出力端子２２ｅは出力スイッチ群５４の入力側に接続され、また、選択スイッチ３２の出力端子３２ｅは出力スイッチ群６４の入力側に接続されている。
【０１１２】
出力スイッチ群５４の出力側は、３０ＭＨｚ以上の高周波数のアンテナ信号（すなわち、ＦＭラジオやテレビの放送局から送信されるアンテナ信号）が通過可能なＨＰＦ（高域通過フィルタ）５６ａ〜５６ｃを介して、アンテナ接続対象機器２７ａ、５７と接続されている。
また、出力スイッチ群６４の出力側についても、３０ＭＨｚ以上の高周波数のアンテナ信号が通過可能なＨＰＦ６６ｂ、６６ｃを介して、アンテナ接続対象機器５７と接続されている。なお、ＨＰＦ５６ａ〜５６ｃ、６６ｂ、６６ｃとしては、小容量のコンデンサなどが挙げられる。
【０１１３】
接続機器切換装置５５を構成する接続機器切換回路５５ａは、各アンテナ接続対象機器２７ａ、５７に装備された電源回路（図示せず）の出力電源電圧を入力し、立ち上がりの変化を監視しており、前記電源回路の出力電源電圧の立ち上がりを検知すると、前記電源回路の出力電源電圧が立ち上がったアンテナ接続対象機器２７ａ、５７へアンテナ信号が出力されるように、制御信号を出力スイッチ群５４群、出力スイッチ６４群へ出力するようになっている。
【０１１４】
例えば、アンテナ接続対象機器２７ａの電源回路の出力電源電圧が立ち上がると、接続機器切換回路５５ａは、アンテナ接続対象機器２７ａへアンテナ信号が出力されるように、出力スイッチ群５４（出力スイッチ５４ａ）へ制御信号（Highレベルの信号）を出力すると共に、デコーダドライバ５３、６３へ制御信号（Highレベルの信号）を出力し、他方、アンテナ接続対象機器５７の電源回路の出力電源電圧が立ち上がると、接続機器切換回路５５ａは、ＡＮＤ回路５５ｂ1 〜５５ｂ4 全てに対して、制御信号（Highレベルの信号）を出力するようになっている。
なお、デコーダドライバ５３、６３へ前記制御信号を送るのは、後で詳しく説明するが、デコーダドライバ５３、６３が選択スイッチ２２、３２の切り換えを行うことを許可するためである。
【０１１５】
また、このときアンテナ切換装置５１が、アンテナ接続対象機器５７のメイン入力端子としか接続されていない場合には、接続機器切換回路５５ａはＡＮＤ回路５５ｂ1 、５５ｂ2 に対してのみ、前記制御信号を出力し、逆に、サブ入力端子としか接続されていない場合には、接続機器切換回路５５ａはＡＮＤ回路５５ｂ3 、５５ｂ4 に対してのみ、前記制御信号を出力するようになっている。
【０１１６】
また、あるアンテナ接続対象機器の電源回路が既に立ち上がっているときに、別のアンテナ接続対象機器の電源回路の出力電源電圧が立ち上がった場合には、後に立ち上がった前記アンテナ接続対象機器へ前記アンテナ信号が出力されるように、前記制御信号を出力スイッチ群５４、出力スイッチ群６４へ出力するようになっている。
【０１１７】
ＡＮＤ回路５５ｂ1 〜５５ｂ4 へは接続機器切換回路５５ａからの制御信号だけでなく、アンテナ接続対象機器５７から出力される制御信号（Highレベル／Low レベル）が入力されるようになっており、そのうちのＡＮＤ回路５５ｂ2 、５５ｂ3 についてはＮＯＴ回路５５ｃを介して前記制御信号が入力されるようになっている。
【０１１８】
これにより、例えば、アンテナ接続対象機器５７の電源回路の出力電源電圧が立ち上がっているとき（すなわち、ＡＮＤ回路５５ｂ1 〜５５ｂ4 の一方の入力側に、Highレベルの信号が入力されているとき）に、アンテナ接続対象機器５７からメイン／サブ切換線５８を使ってHighレベルの信号が出力されている場合（すなわち、ＡＮＤ回路５５ｂ1 、５５ｂ4 の他方の入力側に、Highレベルの信号が入力され、ＡＮＤ回路５５ｂ2 、５５ｂ3 の他方の入力側に、Low レベルの信号が入力されている場合）には、ＡＮＤ回路５５ｂ1 、５５ｂ4 からHighレベルの信号が出力されることとなる。
【０１１９】
従って、出力スイッチ群５４側では出力スイッチ５４ｂへ制御信号（Highレベル）が出力されるため、選択スイッチ２２で選択されたアンテナ信号は、出力スイッチ５４ｂを介して、メイン入力端子へ出力され、他方、出力スイッチ群６４側では出力スイッチ６４ｃへ制御信号（Highレベル）が出力されるため、選択スイッチ３２で選択されたアンテナ信号は、出力スイッチ６４ｃを介して、サブ入力端子へ出力される。
【０１２０】
換言すれば、メイン入力端子Ｍへ入力されるアンテナ信号が、選択スイッチ２２で選択されたアンテナ信号となり、サブ入力端子Ｓへ入力されるアンテナ信号が、選択スイッチ３２で選択されたアンテナ信号となる。
【０１２１】
また、アンテナ接続対象機器５７の電源回路の出力電源電圧が立ち上がっているとき（すなわち、ＡＮＤ回路５５ｂ1 〜５５ｂ4 の一方の入力側に、Highレベルの信号が入力されているとき）に、今度は逆に、アンテナ接続対象機器５７からメイン／サブ切換線５８を使ってLow レベルの信号が出力されている場合（すなわち、ＡＮＤ回路５５ｂ1 、５５ｂ4 の他方の入力側に、Low レベルの信号が入力され、ＡＮＤ回路５５ｂ2 、５５ｂ3 の他方の入力側に、Highレベルの信号が入力されている場合）には、ＡＮＤ回路５５ｂ2 、５５ｂ3 からHighレベルの信号が出力されることとなる。
【０１２２】
従って、出力スイッチ群５４側では出力スイッチ５４ｃへ制御信号（Highレベル）が出力されるため、選択スイッチ２２で選択されたアンテナ信号は、出力スイッチ５４ｃを介して、サブ入力端子Ｓへ出力され、他方、出力スイッチ群６４側では出力スイッチ６４ｂへ制御信号（Highレベル）が出力されるため、選択スイッチ３２で選択されたアンテナ信号は、出力スイッチ６４ｂを介して、メイン入力端子Ｍへ出力される。
【０１２３】
換言すれば、メイン入力端子Ｍへ入力されるアンテナ信号は選択スイッチ３２で選択されたアンテナ信号となり、サブ入力端子Ｓへ入力されるアンテナ信号は選択スイッチ２２で選択されたアンテナ信号となる。これにより、アンテナ接続対象機器５７からの指示に基づいて、サブ入力端子Ｓへ出力しているアンテナ信号を、メイン入力端子Ｍへ出力することができる。
【０１２４】
デコーダドライバ５３は、アンテナ接続対象機器２７ａ、５７から送られてくる２ビットの信号（００、０１、１０、１１）を受信すると、受信した２ビットの信号の組み合わせに対応する一つの出力端子５３ａ〜５３ｄ（選択スイッチ２２の各入力端子２２ａ〜２２ｄに対応する出力端子）から信号を送信するようになっている。
【０１２５】
他方、デコーダドライバ６３は、アンテナ接続対象機器２７ａ、５７から送られてくる２ビットの信号（００、０１、１０、１１）に数値１が加算された信号を受信すると、受信した２ビットの信号の組み合わせに対応する一つの出力端子６３ａ〜６３ｄ（選択スイッチ３２の各入力端子３２ａ〜３２ｄに対応する出力端子）から信号を送信するようになっている。これにより、選択スイッチ２２により選択されるアンテナと、選択スイッチ３２により選択されるアンテナとが排他的となる。
【０１２６】
例えば、アンテナ接続対象機器２７ａから「００」の信号が送信されると、デコーダドライバ５３は「００」の信号を受信することとなり、選択スイッチ２２の入力端子２２ａに対応する出力端子５３ａから制御信号（Highレベルの信号）を送信し、他方、デコーダドライバ６３は「０１」の信号を受信することなり、選択スイッチ３２の入力端子３２ｂに対応する出力端子６３ｂから制御信号（Highレベルの信号）を送信するようになっている。これにより、アンテナ接続対象機器２７ａ、５７からの指示に基づいて、自由にアンテナの切り換えを行うことができる。
【０１２７】
また、ＡＮＤ回路５５ｂ1 、５５ｂ3 から出力される信号は、デコーダドライバ６３、５３それぞれへ入力されるようになっており、デコーダドライバ６３、５３はＡＮＤ回路５５ｂ1 、５５ｂ3 、又は接続機器切換回路５５ａからHighレベルの信号を入力している場合に限り、選択スイッチ３２、２２それぞれへ制御信号を出力するようになっている。
【０１２８】
なお、ＡＮＤ回路５５ｂ1 からHighレベルの信号が出力されている状態（すなわち、デコーダドライバ６３から選択スイッチ３２へ制御信号を出力することが許可されている状態）というのは、出力スイッチ５４ｂがＯＮ状態（出力スイッチ５４ｃがＯＦＦ状態）であることと同時に、出力スイッチ６４ｃがＯＮ状態（出力スイッチ６４ｂがＯＦＦ状態）であることを示している。
【０１２９】
また、ＡＮＤ回路５５ｂ3 からHighレベルの信号が出力されている状態（すなわち、デコーダドライバ５３から選択スイッチ２２へ制御信号を出力することが許可されている状態）というのは、出力スイッチ６４ｂがＯＮ状態（出力スイッチ６４ｃがＯＦＦ状態）であることと同時に、出力スイッチ５４ｃがＯＮ状態（出力スイッチ５４ｂがＯＦＦ状態）であることを示している。
【０１３０】
従って、デコーダドライバ６３から選択スイッチ３２へ制御信号を出力することが許可されている状態というのは、選択スイッチ３２で選択されたアンテナ信号がサブ入力端子Ｓへ入力されている場合であり、また、デコーダドライバ５３から選択スイッチ２２へ制御信号を出力することが許可されている状態というのは、選択スイッチ２２で選択されたアンテナ信号がサブ入力端子Ｓへ入力されている場合である。すなわち、アンテナ切換装置５１でのアンテナの切り換えについては、サブ入力端子Ｓと接続されている側のアンテナに限定して行われるようになっている。
【０１３１】
なお、ここでのアンテナ接続対象機器５７には、下記の（イ）、（ロ）に示す２つ機能が備わっている。
（イ）メイン入力端子Ｍに入力されるアンテナ信号の受信強度を、サブ入力端子Ｓに入力されるアンテナ信号の受信強度が上回ると、メイン／サブ切換線５８を介して出力する信号を反転させる。例えば、Highレベルの信号を出力していた場合には、Low レベルの信号を出力し、逆にLow レベルの信号を出力していた場合には、Highレベルの信号を出力する。
【０１３２】
（ロ）サブ入力端子Ｓに入力されるアンテナ信号の受信強度が所定値以下になると、デコーダドライバ５３、６３へ２ビットの信号を送信する。但し、このとき、前回送信したものに対して、数値１を加算（又は減算）したものを送信する。例えば、前回に「１０」の信号を送信した場合には、今回は「１１」を送信し、次回には「００」を送信する（加算の場合）。
【０１３３】
なお、加算、減算については、メイン／サブ切換線５８を介して出力する信号の反転があった場合と、２度続けて加算、又は減算した場合に切り換えを行うようになっている。例えば、前回に「００」の信号を送信した場合には、今回は「０１」を送信し、次回には「１０」を送信するが、その次については数値１を加算した「１１」ではなく、数値１を減算した「０１」を送信する。これは、メイン入力端子Ｍと接続されるアンテナと、サブ入力端子Ｓと接続されるアンテナとが同じものとならないようにするためである。
【０１３４】
次に、実施の形態（４）に係るアンテナ切換装置の動作の一例について説明する。ユーザーによりディジタルテレビ（アンテナ接続対象機器５７）を視聴するために、ディジタルテレビの電源スイッチがＯＮされると、アンテナ接続対象機器５７の電源回路によって機器内の各部に電源が供給される。
【０１３５】
接続機器切換回路５５ａは、前記電源回路の出力電源電圧の立ち上がりを監視しており、前記電源回路の出力電源電圧が立ち上がると、前記電源回路の出力電源電圧が立ち上がったアンテナ接続対象機器５７（ディジタルテレビ）へアンテナ信号が出力されるように、制御信号（Highレベルの信号）をＡＮＤ回路５５ｂ1 〜５５ｂ4 全てに対して出力する。
【０１３６】
なお、このとき選択スイッチ２２の出力端子２２ｅは、入力端子２２ａ（アンテナ６ａ）と接続され、選択スイッチ３２の出力端子３２ｅは、入力端子３２ｂ（アンテナ６ｂ）と接続され、アンテナ接続対象機器５７からはメイン／サブ切換線５８を介してHighレベルの信号が出力されているものとする。
【０１３７】
アンテナ接続対象機器５７のメイン入力端子Ｍは、立ち上げ当初、アンテナ６ａからのアンテナ信号を入力することとなり、サブ入力端子Ｓはアンテナ６ｂからのアンテナ信号を入力することとなる。
【０１３８】
これ以降の動作を、（ｉ）と（ii）との場合に分けて説明する。
（ｉ）メイン入力端子Ｍで入力される（アンテナ６ａからの）アンテナ信号の受信強度よりも、サブ入力端子Ｓで入力される（アンテナ６ｂからの）アンテナ信号の受信強度が上回ると、アンテナ接続対象機器５７からメイン／サブ切換線５８を伝わる信号が反転される。例えば、HighレベルからLow レベルへと反転される。
【０１３９】
メイン／サブ切換線５８を伝わる信号がLow レベルの信号になると、ＡＮＤ回路５５ｂ2 、５５ｂ3 からHighレベルの信号が出力され、ＡＮＤ回路５５ｂ1 、５５ｂ4 からLow レベルの信号が出力されるので、選択スイッチ２２で選択された（アンテナ６ａからの）アンテナ信号は出力スイッチ５４ｃを介して、サブ入力端子Ｓへ出力され、他方、選択スイッチ３２で選択された（アンテナ６ｂからの）アンテナ信号は出力スイッチ６４ｂを介して、メイン入力端子Ｍへ出力される。
【０１４０】
（ii）サブ入力端子Ｓで入力される（アンテナ６ｂからの）アンテナ信号の受信強度が所定値以下になると、アンテナ接続対象機器５７はデコーダドライバ５３、６３へ２ビットの信号（例えば、「０１」）を送信するようになっている。
【０１４１】
デコーダドライバ５３は、アンテナ接続対象機器５７から２ビットの信号を受信したとしても、ＡＮＤ回路５５ｂ3 からLow レベルの信号を受信しているので、選択スイッチ２２に対して何ら制御を行わない。
他方、デコーダドライバ６３は、アンテナ接続対象機器３７から出力され、数値１が加算された２ビットの信号（例えば、「１０」）を受信すると、受信した信号に基づいて、所定の出力端子（例えば、出力端子６３ｃ）から制御信号（Highレベルの信号）を送信する。
【０１４２】
選択スイッチ３２は、デコーダドライバ６３からの制御信号を受信すると、出力端子３２ｅと入力端子３２ｃ（アンテナ６ｃ）とを接続する。これにより、アンテナ接続対象機器５７のサブ入力端子へ出力されるアンテナ信号は、アンテナ６ｂから、アンテナ６ｃのアンテナ信号へと切り換わる。
【０１４３】
上記実施の形態（４）に係るアンテナ切換装置によれば、選択スイッチ２２により選択されたアンテナ信号を、アンテナ接続対象機器５７のメイン入力端子Ｍ／サブ入力端子Ｓのうちのいずれかへ出力するための出力スイッチ群５４と、選択スイッチ３２により選択されたアンテナ信号を、アンテナ接続対象機器５７のメイン入力端子Ｍ／サブ入力端子Ｓのうちのいずれかへ出力するための出力スイッチ群６４とを備え、さらには、出力スイッチ群５４から出力されるアンテナ信号の出力先と、出力スイッチ群６４から出力されるアンテナ信号の出力先とは排他的となるように構成されている。
【０１４４】
すなわち、選択スイッチ２２により選択されたアンテナ信号が、アンテナ接続対象機器５７のメイン入力端子Ｍへ出力されている場合には、選択スイッチ３２により選択されたアンテナ信号は、サブ入力端子Ｓへ出力され、逆に、選択スイッチ２２により選択されたアンテナ信号が、サブ入力端子Ｓへ出力されている場合には、選択スイッチ３２により選択されたアンテナ信号は、メイン入力端子Ｍへ出力される。
【０１４５】
また、選択スイッチ２２により選択されるアンテナ信号と、選択スイッチ３２により選択されるアンテナ信号とが排他的となるように構成されているので、アンテナ接続対象機器５７のメイン入力端子Ｍ／サブ入力端子Ｓへは、異なるアンテナからのアンテナ信号を出力することができる。
【０１４６】
また、アンテナ接続対象機器５７からの指示に基づいて、選択スイッチ２２、３２により選択されるアンテナ信号それぞれの出力先が切り換えられるようになっているので、アンテナ接続対象機器５７の都合（例えば、メイン入力端子Ｍの受信強度の低下）によって、自由にアンテナの切り換えを行うことができる。
【０１４７】
例えば、サブ入力端子Ｓから入力しているアンテナ信号の受信強度が、メイン入力端子Ｍから入力しているアンテナ信号の受信強度を上回った場合に、アンテナ接続対象機器５７からアンテナ切り換えの指示があると、メイン入力端子Ｍへ出力しているアンテナ信号と、サブ入力端子Ｓへ出力しているアンテナ信号とを切り換えることができる。
【０１４８】
また、先程も説明したように、選択スイッチ２２により選択されるアンテナ信号と、選択スイッチ３２により選択されるアンテナ信号とが排他的となるように構成されているので、分配器を設けてアンテナ信号を分配する必要はない。
【０１４９】
従って、分配損失は生じないため、アンプを設ける必要がないことはもちろんのこと、雑音指数の劣化が無く、受信感度の低下を防止することができるので、安価で性能に優れたアンテナ切換装置を実現することができる。
【０１５０】
また、アンテナ接続対象機器５７からの指示に基づいて、選択スイッチ２２、３２により選択されるアンテナ信号を切り換えることができるので、アンテナ接続対象機器５７の都合（例えば、受信強度の低下）によって、自由にアンテナの切り換えを行うことができる。
【０１５１】
従って、例えば、メイン入力端子Ｍと接続されるアンテナの切り換えは行わずに、サブ入力端子Ｓと接続されるアンテナの切り換えだけを行うようにすることによって、走査型と選択型とを組み合わせたダイバーシティ方式を実現することができる。
【０１５２】
なお、上記実施の形態（１）〜（４）に係るアンテナ切換装置では、アンテナ接続対象機器２７ａ〜２７ｃ、３７、５７から、選択スイッチ２２、３２により選択されるアンテナ信号の切り換え指示を受けるために、それ専用の信号線を設けているが、別の実施の形態に係るアンテナ切換装置２１Ａでは、図５に示したように、アンテナ信号線に設けられたＨＰＦとアンテナ接続対象機器との間に、アンテナ信号の通過を阻止するＬＰＦ（低域通過フィルタ）７１ａ〜７１ｃなどを直列に接続し、ＬＰＦ７１ａ〜７１ｃを通過した信号をＦＳＫデコーダ７２を介して、デコーダドライバ２３へ出力するような構成としても良い。
【０１５３】
これにより、低周波数の搬送波を使って信号を送信するようにすれば、アンテナ接続対象機器２７ａ〜２７ｃから前記信号を前記アンテナ信号線を媒体として、デコーダドライバ２３へ前記信号を送信することができる。従って、アンテナ接続対象機器２７ａ〜２７ｃからの信号を入力するためだけの別の信号線を設けなくても良いので、装置の簡略化を図ることができる。
【０１５４】
図６は、実施の形態（５）に係るアンテナ切換装置を採用した受信システムの要部を概略的に示したブロック図である。なお、ここでは前記受信システムが車両で採用される場合について説明する。
【０１５５】
図中８１はアンテナ切換装置を示しており、アンテナ切換装置８１にはアンテナ８２ａ、８２ｂからのアンテナ信号のうちのいずれかを選択するための選択スイッチ８３と、アンテナ９２ａ、９２ｂからのアンテナ信号のうちのいずれかを選択するための選択スイッチ９３とを含んで構成されている。
【０１５６】
アンテナ８２ａ、８２ｂ、９２ａ、９２ｂそれぞれは、車両の所定箇所に所定方向を向けて設置されており、アンテナ８２ａ、８２ｂは各々、選択スイッチ８３の入力端子８３ａ、８３ｂに接続され、選択スイッチ８３の出力端子８３ｃは、３０ＭＨｚ以上の高周波数のアンテナ信号（すなわち、ＦＭラジオやテレビの放送局から送信されるアンテナ信号）が通過可能なＨＰＦ（広域通過フィルタ）８４を介してアンテナ接続対象機器８７の一方の入力端子８７ａと接続され、アンテナ９２ａ、９２ｂは各々、選択スイッチ９３の入力端子９３ａ、９３ｂに接続され、選択スイッチ９３の出力端子９３ｃはＨＰＦ９４を介してアンテナ接続対象機器８７の他方の入力端子８７ｂと接続されている。
【０１５７】
また、ＨＰＦ８４（９４）とアンテナ接続対象機器８７（９７）との間に、ＬＰＦ８５（９５）を介して選択スイッチ８３（９３）が接続され、また、ＬＰＦ８５（９５）と選択スイッチ８３（９３）の間に抵抗Ｒ１（Ｒ２）とコンデンサＣ１（Ｃ１）とが並列に接続され、これら抵抗Ｒ１（Ｒ２）、コンデンサＣ１（Ｃ２）それぞれはその他端でＧＮＤと接続されている。なお、これら抵抗Ｒ１（Ｒ２）、コンデンサＣ１（Ｃ２）により、アンテナ接続対象機器８７から出力される信号がＧＮＤへ洩れるのが阻止される。
これにより、アンテナ接続対象機器８７から出力された信号を、アンテナ信号線を用いて、選択スイッチ８３、９３へ送信することができる。なお、ＬＰＦとしては、λ／２チョークコイルなどが挙げられる。
【０１５８】
選択スイッチ８３は、Highレベルの信号を受けると、出力端子８３ｃと入力端子８３ｂ（アンテナ８２ａ）とを接続し、他方、Low レベルの信号を受けると、出力端子８３ｃと入力端子８３ａ（アンテナ８２ｂ）とを接続するようになっている。
【０１５９】
また、選択スイッチ９３は、Highレベルの信号を受けると、出力端子９３ｃと入力端子９３ａ（アンテナ９２ｂ）とを接続し、他方、Low レベルの信号を受けると、出力端子９３ｃと入力端子９３ｂ（アンテナ９２ｂ）とを接続するようになっている。
【０１６０】
これにより、アンテナ接続対象機器８７の入力端子８７ａからHighレベルの信号（例えば、１２Ｖの信号電圧）が出力され、他方、アンテナ接続対象機器８７の入力端子８７ｂからLow レベルの信号（例えば、０Ｖの信号電圧）が出力されると、入力端子８７ａへアンテナ８２ａからのアンテナ信号を出力し、入力端子８７ｂへアンテナ９２ａからのアンテナ信号を出力することができる。
【０１６１】
また、この逆に、アンテナ接続対象機器８７の入力端子８７ａからLow レベルの信号（例えば、０Ｖの信号電圧）が出力され、他方、アンテナ接続対象機器８７の入力端子８７ｂからHighレベルの信号（例えば、１２Ｖの信号電圧）が出力されると、入力端子８７ａへアンテナ８２ｂからのアンテナ信号を出力し、入力端子８７ｂへアンテナ９２ｂからのアンテナ信号を出力することができる。
【０１６２】
また、ＬＰＦ８５を介して、アンテナ接続対象機器８７の入力端子８７ａは、ダイオードＤ１のアノードと接続され、ＬＰＦ９５を介して、アンテナ接続対象機器８７の入力端子８７ｂは、ダイオードＤ２のアノードと接続されているので、入力端子８７ａからHighレベルの信号（１２Ｖの信号電圧）が出力された場合には、ダイオードＤ１のカソード側から１２Ｖの信号電圧が出力され、また、入力端子８７ａからHighレベルの信号が出力されていない場合であったとしても、入力端子８７ｂからHighレベルの信号が出力されている場合には、ダイオードＤ２のカソード側から１２Ｖの信号電圧が出力されることとなる。
【０１６３】
従って、これらダイオードＤ１、Ｄ２のカソード側から出力される信号電圧をアンテナ切換装置８１における電源電圧とすることができるので、装置の簡略化が図られる。
【図面の簡単な説明】
【図１】本発明の実施の形態（１）に係るアンテナ切換装置を採用した受信システムの要部を概略的に示したブロック図である。
【図２】実施の形態（２）に係るアンテナ切換装置を採用した受信システムの要部を概略的に示したブロック図である。
【図３】実施の形態（３）に係るアンテナ切換装置を採用した受信システムの要部を概略的に示したブロック図である。
【図４】実施の形態（４）に係るアンテナ切換装置を採用した受信システムの要部を概略的に示したブロック図である。
【図５】別の実施の形態に係るアンテナ切換装置を採用した受信システムの要部を概略的に示したブロック図である。
【図６】実施の形態（５）に係るアンテナ切換装置を採用した受信システムの要部を概略的に示したブロック図である。
【図７】従来のアンテナ切換装置を採用した受信システムの要部を概略的に示したブロック図である。
【符号の説明】
２１、２１Ａ、３１、４１、５１、８１  アンテナ切換装置
２２、３２  選択スイッチ
２３、３３、４３、５３、６３  デコーダドライバ
２４、５４、６４  出力スイッチ群
２５、３５、４５、５５ａ  接続機器切換回路
２６ａ〜２６ｃ、３６、４６、５６ａ〜５６ｃ、６６ｂ、６６ｃ  ＨＰＦ
３４、４４  出力スイッチ
４２  フェーズシフト
【図１】
0004076366.tif 000002
【図２】
0004076366.tif 000003
【図３】
0004076366.tif 000004
【図４】
0004076366.tif 000005
【図５】
0004076366.tif 000006
【図６】
0004076366.tif 000007
【図７】
0004076366.tif 000008